(57)【特許請求の範囲】
【請求項１】
被連結物に形成された孔に連結される連結具であって、
弾性体により前記被連結物の表面に沿うように略Ｕ字状に形成され、両端部に共締め可能な環部が設けられ、一端部から前記被連結物の孔に挿通され、底部が前記被連結物の孔に保持される連結具本体と、
この連結具本体の外側に嵌合され、前記被連結物の一部に覆い被さる略Ｕ字状のカバーであり、前記連結具本体が嵌合される溝と、前記連結具本体の両端部の環部が貫通される貫通孔とを備えたカバーとを有する連結具。
【請求項２】
前記連結具本体の両端部の環部に連結されるリングを有する請求項１記載の連結具。
【請求項３】
前記弾性体は、ワイヤーばねである請求項１または２に記載の連結具。
【発明の詳細な説明】
【技術分野】
【０００１】
本発明は、キー等の被連結物をキーホルダ等の連結物に連結するための連結具に関する。
【背景技術】
【０００２】
従来のキーホルダには、キー露出型（例えば特許文献１，２参照。）とキー収納型（例えば特許文献３参照。）がある。キー露出型は、キーホルダに設けられたリングにキーに設けられた孔を通すことによって取り付けられるものである。
【０００３】
キー収納型は、キーに設けられた孔に支軸を設けて、プラスチック素材等により形成されたキーホルダ内に収納したものであり、キーを支軸周りに回転させることによってキーホルダに出し入れすることが可能である。また、このキー収納型の支軸として、上記キー露出型と同様にリングを設けることもある。
【先行技術文献】
【特許文献】
【０００４】
【特許文献１】特開平５−３４０１４１号公報
【特許文献２】実用新案登録第３０８２４６７号公報
【特許文献３】実用新案登録第３１３０２２３号公報
【発明の概要】
【発明が解決しようとする課題】
【０００５】
上記のように従来のキー露出型およびキー収納型のキーホルダにおいて、キーに設けられた孔にリングを通すことによってキーホルダにキーを連結する場合、キーに設けられた孔がキーの端辺からの距離が遠いため、リングの径が大きくなりがちである。そのため、リングが邪魔となり、キーホルダが嵩張ってしまうという問題がある。
【０００６】
そこで、本発明においては、キー等の被連結物にキーホルダ等の連結物を連結する際に嵩張りにくい連結具を提供することを目的とする。
【課題を解決するための手段】
【０００７】
本発明の連結具は、被連結物に形成された孔に連結される連結具であって、弾性体により略Ｕ字状に形成され、両端部に共締め可能な環部が設けられ、一端部から被連結物の孔に挿通され、底部が被連結物の孔に保持される連結具本体と、この連結具本体の外側に嵌合される略Ｕ字状のカバーであり、連結具本体が嵌合される溝と、連結具本体の両端部の環部が貫通される貫通孔とを備えたカバーとを有するものである。
【０００８】
本発明の連結具は、略Ｕ字状の連結具本体の一端部から被連結物の孔に挿通され、底部が被連結物の孔に保持された状態で、この被連結物の連結具本体の外側に略Ｕ字状のカバーが嵌合され、このカバーの貫通孔に連結具本体の両端部の環部が貫通される。この連結具本体の両端部の環部は共締め可能であるため、この両端部の環部にキーホルダやリング等の連結物を連結することにより、カバーは外れなくなる。
【０００９】
また、本発明の連結具は、連結具本体の両端部の環部に連結されるリングを有するものであることが望ましい。上述のように、リングを連結具本体の両端部の環部に連結すると、カバーは外れなくなり、このリングにキーホルダ等の連結物を連結することが可能となる。
【００１０】
ここで、弾性体は、ワイヤーばねであることが望ましい。これにより、略Ｕ字状への加工が容易であり、かつ被連結物の孔に挿通する際には容易に広げることが可能であるため、被連結物の取り付けも容易となる。
【発明の効果】
【００１１】
（１）弾性体により略Ｕ字状に形成され、両端部に共締め可能な環部が設けられ、一端部から被連結物の孔に挿通され、底部が被連結物の孔に保持される連結具本体と、この連結具本体の外側に嵌合される略Ｕ字状のカバーであり、連結具本体が嵌合される溝と、連結具本体の両端部の環部が貫通される貫通孔とを備えたカバーとを有する構成により、略Ｕ字状の連結具本体の底部が被連結物の孔に保持された状態で略Ｕ字状のカバーが嵌合されるので、被連結物に設けられた孔が被連結物の端辺からの距離が遠くても略Ｕ字状の連結具本体およびカバーの側胴部が長くなるだけであり、略Ｕ字状の連結具本体およびカバーの底部の幅は狭くすることができるため、嵩張りにくい連結具が得られる。
【００１２】
（２）連結具本体の両端部の環部に連結されるリングを有することにより、リングを連結具本体の両端部の環部に連結すると、カバーは外れなくなり、カバーが脱落して連結具が分解することがないため、リングに対してキーホルダ等の連結物を容易に着脱することが可能となる。
【００１３】
（３）弾性体がワイヤーばねであることにより、略Ｕ字状への加工が容易であり、かつ被連結物の孔に挿通する際には容易に広げることが可能であるため、被連結物の取り付けも容易となる。
【図面の簡単な説明】
【００１４】
【図１】本発明の実施の形態における連結具の使用状態を示す正面図である。
【図２】図１のＡ−Ａ断面図である。
【図３】図１の連結具本体を示す図であって、（ａ）は閉じた状態を示す図、（ｂ）は開いた状態を示す図である。
【図４】図１のカバーを示す図であって、（ａ）はカバー単体を示す斜視図、（ｂ）は連結具本体に嵌合される様子を示す斜視図である。
【図５】キーおよびキーホルダに連結具を挿通した状態を示す図である。
【発明を実施するための形態】
【００１５】
図１は本発明の実施の形態における連結具の使用状態を示す正面図、図２は図１のＡ−Ａ断面図、図３は図１の連結具本体を示す図であって、（ａ）は閉じた状態を示す図、（ｂ）は開いた状態を示す図、図４は図１のカバーを示す図であって、（ａ）はカバー単体を示す斜視図、（ｂ）は連結具本体に嵌合される様子を示す斜視図、図５はキーおよびキーホルダに連結具を挿通した状態を示す図である。
【００１６】
図１および図２に示すように、本発明の実施の形態における連結具１は、連結物としての収納型のキーホルダＨの貫通孔Ｈ0を通じて、被連結物としてのキーＫの貫通孔Ｋ0に挿通される連結具本体２と、連結具本体２の外側に嵌合されるカバー３と、連結具本体２の両端部の環部２０に連結されるリング４とを有するものである。
【００１７】
図３に示すように、連結具本体２は、弾性体としてのワイヤーばねにより略Ｕ字状に形成されたものであり、同図（ａ），（ｂ）に示すように、その弾性により環部２０側を開閉することが可能となっている。環部２０は、同図（ａ）に示すように閉じた状態で重なり合うように連結具本体２の両端部に設けられており、その中心にリング４等を挿入することにより共締め可能となっている。
【００１８】
両側胴部２１は、キーＫの貫通孔Ｋ0からキーＫの短辺Ｋ1およびキーホルダＨの貫通孔Ｋ0から短辺Ｋ1までの距離に応じて調整された長さを有する。また、底部２２は、キーホルダＨの厚み（図２の横幅）に応じて調整された長さを有する。すなわち、連結具本体２の両側胴部２１は、図１および図２に示すようにその底部２２がキーＫの貫通孔Ｋ0に保持された状態で、その底部２２周りにキーＫを回転させてキーホルダＨに出し入れ可能な長さとしている。
【００１９】
図４に示すように、カバー３は、略Ｕ字状に形成されたものであり、その両側胴部３０の内側には連結具本体２の側胴部２１がそれぞれ嵌合される溝３１が形成されている。また、カバー３の頭部３２には、連結具本体２の両端部の環部２０が貫通される貫通孔３３が形成されている。カバー３は金属や合成樹脂等により形成されている。
【００２０】
上記構成の連結具１では、連結具本体２は、一端部から図５に示すようにキーホルダＨの貫通孔Ｈ0を通じてキーＫの貫通孔Ｋ0に挿通される。そして、連結具本体２を閉じて両端部の環部２０を図３（ａ）に示すように重ね合わせ、図４（ｂ）に示すように環部２０側からカバー３の両側胴部２１の溝３１に沿って挿入し、環部２０をカバー３の貫通孔３３に貫通させて突出させる。
【００２１】
その後、この連結具本体２の両端部の環部２０にリング４を挿入すると、図１および図２に示すようにキーＫをキーホルダＨに連結した状態が完成する。これにより、カバー３は連結具本体２から外れなくなり、カバー３が脱落して連結具１が分解することはない。そして、このリング４に対しては、キーホルダやボールチェーン等を容易に着脱することが可能である。
【００２２】
また、本実施形態における連結具１では、略Ｕ字状の連結具本体２の底部２２がキーＫの貫通孔Ｋ0に保持された状態で略Ｕ字状のカバー３が嵌合されるので、キーＫに設けられた貫通孔Ｋ0がキーＫの端辺Ｋ1からの距離が遠くても略Ｕ字状の連結具本体２の両側胴部２１およびカバー３の両側胴部３０が長くなるだけである。したがって、略Ｕ字状の連結具本体２の底部２２およびカバー３の頭部３２の幅は狭くすることができるため、嵩張りにくい。
【００２３】
また、本実施形態における連結具１では、連結具本体２がワイヤーばねにより形成されているため、図３（ａ）に示すような略Ｕ字状への加工が容易である。また、キーＫの貫通孔Ｋ0に挿通する際には図３（ｂ）に示すように容易に広げることが可能であるため、キーＫの取り付けも容易である。
【００２４】
なお、本実施形態においては連結物として収納型のキーホルダＨに連結した例について説明したが、露出型のキーホルダや、その他ネームタグやリング等にも適用可能である。また、被連結部としてキー以外にも適用可能である。また、カバー３の外形は自由に変更することが可能であり、装飾性を施すことも可能である。さらに、連結具１は複数を連結して使用することも可能である。
【産業上の利用可能性】
【００２５】
本発明の連結具は、キー等の被連結物をキーホルダ等の連結物に連結するためのものとして有用である。
【符号の説明】
【００２６】
１  連結具
２  連結具本体
３  カバー
４  リング
２０  環部
２１  側胴部
２２  底部
３０  側胴部
３１  溝
３２  頭部
３３  貫通孔
【図１】
0005587019.tif 000002
【図２】
0005587019.tif 000003
【図３】
0005587019.tif 000004
【図４】
0005587019.tif 000005
【図５】
0005587019.tif 000006